(57)【要約】      （修正有）【課題】清掃対象の各部を清掃することができ、幅が狭く、がんこな汚れが付着し易い被清掃部分に対しブラシの先を確実に当接して、汚れを擦り落とすことができる洗浄ブラシを提供する。【解決手段】洗浄ブラシ１は、棒状をなす柄１０と、柄１０の先端に設けられ、四角筒状をなす固着部１１と、固着部１１により柄１０に固着され、断面が異形の繊維を含む紐状体を束ねてなるブラシ体２と、固着部１１の一側面に多数の毛体４１を植毛してなる細部用ブラシ部４とを備える。固着部１１は、前記一側面を外側に、柄１０の長さ方向に対し所定の角度で曲がっている。【選択図】図１
2013198583.tif 000002
【特許請求の範囲】
【請求項１】
断面が異形の繊維を含む紐状体を束ねたブラシ体を、柄の先端に設けた固着部に固着してある洗浄ブラシにおいて、
前記固着部に、前記柄の軸心と交叉する方向に延びるように、前記紐状体より硬い毛体を植毛してあることを特徴とする洗浄ブラシ。
【請求項２】
前記固着部は、
四角筒状をなし、一面に前記毛体を植毛してあり、
前記一面を外側に、前記柄の長さ方向に対し所定の角度で曲がっていることを特徴とする請求項１に記載の洗浄ブラシ。
【請求項３】
前記繊維はポリエステル繊維であり、
前記毛体はポリプロピレンを含むことを特徴とする請求項１又は２に記載の洗浄ブラシ。
【請求項４】
前記ブラシ体は球状をなすことを特徴とする請求項１から３までのいずれか１項に記載の洗浄ブラシ。
【請求項５】
前記柄は、
中途部に設けられたフランジと、
該フランジから後端まで裾広がりに形成された握り部と
を備えることを特徴とする請求項１から４までのいずれか１項に記載の洗浄ブラシ。
【請求項６】
前記フランジは、前記毛体に向かうように傾斜させてあることを特徴とする請求項５に記載の洗浄ブラシ。
【発明の詳細な説明】
【技術分野】
【０００１】
本発明は、例えばトイレ、浴室、台所等を洗浄するために用いる洗浄ブラシに関する。
【背景技術】
【０００２】
トイレ洗浄ブラシ及び浴室洗浄ブラシ等、水を用いて被清掃部分の汚れを擦り取るブラシとして種々のものが開発されている。
これらの洗浄ブラシは、洗浄剤を用い、洗浄剤が有する洗浄力を利用して汚れを落とすように構成されており、予め洗浄剤をブラシ部分に振り掛けるか染み込ませておいて汚れ部分を擦り取るか、洗浄剤を予め汚れ部分に振り掛けておいてブラシで擦り取るかすることにより、汚れを落としていた。これらの洗浄ブラシによれば、使用時に洗浄剤が下水に放出されることになり、環境負荷が増大するという問題がある。
【０００３】
そこで、本出願人は、洗浄効率を向上させるために、例えばポリエステル等からなり、断面が異形である繊維を含む紐状体を束ねてブラシ体を構成し、このブラシ体を柄の先端に固着した洗浄ブラシを開発した（特許文献１及び２）。これらの洗浄ブラシにおいては、繊維の断面形状が円形状ではなく、異形形状であり、先鋭な頂点を有し、汚れ成分との接触面積が大きくなるので、洗浄効率が良好である。従って、洗浄剤を使用することなく水を含ませて擦るだけで汚れを落とすことも可能であり、洗剤の使用による環境負荷の低減を図ることができる。
【先行技術文献】
【特許文献】
【０００４】
【特許文献１】特許第４５８５６５７号公報
【特許文献２】特許第４７８３３７１号公報
【発明の概要】
【発明が解決しようとする課題】
【０００５】
近年の便器は、人体の臀部を洗浄するための洗浄水を噴射する吐水ノズルを備える洗浄便座を配したものが主流である。
この吐水ノズルには水垢、汚物等のがんこな汚れが付着していることが多いが、特許文献１及び２等の洗浄ブラシをトイレ洗浄に用いた場合、吐水ノズルは幅狭の円柱状をなすのに対し、ブラシ体は球状をなすので汚れ部分に当接しにくく、しかもブラシ体はポリエステル繊維を含むので柔らかく、汚れを十分に落とすことができないという問題があった。
吐水ノズル向けに洗浄ブラシを別途備えることも考えられるが、トイレ空間は狭く、２種類の洗浄ブラシを備えることには問題がある。
【０００６】
本発明は斯かる事情に鑑みてなされたものであり、清掃対象の各部を清掃することができ、幅が狭く、がんこな汚れが付着し易い被清掃部分に対しブラシの先を確実に当接して、汚れを擦り落とすことができ、洗浄効率が良好である洗浄ブラシを提供することを目的とする。
【課題を解決するための手段】
【０００７】
第１発明に係る洗浄ブラシは、断面が異形の繊維を含む紐状体を束ねたブラシ体を、柄の先端に設けた固着部に固着してある洗浄ブラシにおいて、前記固着部に、前記柄の軸心と交叉する方向に延びるように、前記紐状体より硬い毛体を植毛してあることを特徴とする。
【０００８】
本発明においては、固着部に紐状体より硬い毛体を柄の軸心と交叉する方向に延びるように植毛してあるので、例えば洗浄便座の吐水ノズル等のように、幅が狭く、がんこな汚れが付着し易い部分に毛体を確実に垂直に当接して、汚れを擦り落とすことができる。また、便器の内面等に対しては、異形断面形状を有し、先鋭な頂点を有し、汚れ成分との接触面積が大きい繊維を含むブラシ体により、前記内面を傷つけることなく、清掃することができる。すなわち、一つの洗浄ブラシで各被清掃部分を清掃することができ、各被清掃部分に応じて複数の洗浄ブラシを狭いトイレ空間等に配置しておく必要がなく、洗浄効率良好に清掃することができる。
【０００９】
第２発明に係る洗浄ブラシは、第１発明において、前記固着部は、四角筒状をなし、一面に前記毛体を植毛してあり、前記一面を外側に、前記柄の長さ方向に対し所定の角度で曲がっていることを特徴とする。
【００１０】
本発明においては、固着部と柄とで、への字状をなす。従って、下向きに傾斜する洗浄便座の吐水ノズル等の幅狭部分に対しては、洗浄ブラシを逆への字状になるように握り、固着部を前記幅狭部分に平行に対向させ、毛体の先端部を前記幅細部分に当接し、該幅細部分を傷つけることなく、力が掛かりやすい状態で、擦り残しがなく、効率良く清掃することができる。また、上に凸の曲面状をなす便器の内面等に対しては、洗浄ブラシを、への字状に握り、ブラシ体を曲面に沿わせて、擦り残しがなく、無駄な力を掛けずに効率良く清掃することができる。
【００１１】
第３発明に係る洗浄ブラシは、第１又は第２発明において、前記繊維はポリエステル繊維であり、前記毛体はポリプロピレンを含むことを特徴とする。
【００１２】
本発明においては、ブラシ体の繊維がポリエステル繊維であるので、柔らかく、被清掃部分を傷つけにくい。また所望の異形断面形状を有するように構成することができる。
そして、毛体がポリプロピレンを含むので、硬く、吸湿性は低いので、前記幅狭部分にこびりついた汚れを良好に擦り取ることできる。また、前記幅狭部分が前記吐水ノズルである場合、ポリプロピレン製であることが多く、該毛体により傷つけられることがない。
【００１３】
第４発明に係る洗浄ブラシは、第１乃至第３発明のいずれかにおいて、前記ブラシ体は球状をなすことを特徴とする。
【００１４】
本発明においては、ブラシ体が球状をなすので、被清掃部分を傷つけにくく、水を多量に含むことができ、洗浄効率が良好である。
【００１５】
第５発明に係る洗浄ブラシは、第１乃至第４発明のいずれかにおいて、前記柄は、中途部に設けられたフランジと、該フランジから後端まで裾広がりに形成された握り部とを備えることを特徴とする。
【００１６】
本発明においては、フランジを有するので洗浄ブラシが握りやすく、ずれにくい。
【００１７】
第６発明に係る洗浄ブラシは、第５発明において、前記フランジは、前記毛体に向かうように傾斜させてあることを特徴とする。
【００１８】
本発明においては、毛体を被清掃部分に当接するときに、手が毛体側にずれるのが防止され、力を加えやすく、洗浄効率が良好である。
【発明の効果】
【００１９】
本発明の洗浄ブラシによれば、固着部に紐状体より硬い毛体を柄の軸心と交叉する方向に延びるように植毛してあるので、例えば洗浄便座の吐水ノズル等のように、幅が狭く、がんこな汚れが付着し易い部分に毛体を確実に垂直に当接して、汚れを擦り落とすことができる。そして、便器の内面等に対しては、異形断面形状を有し、先鋭な頂点を有し、汚れ成分との接触面積が大きい繊維を含むブラシ体により、前記内面を傷つけることなく、効率良く清掃することができる。従って、本発明の洗浄ブラシによれば、清掃対象を洗浄効率良好に清掃することができる。
【図面の簡単な説明】
【００２０】
【図１】本発明の実施の形態に係る洗浄ブラシを示す斜視図である。
【図２】本発明の実施の形態に係るブラシ体を示す平面図である。
【図３】本発明の実施の形態に係るブラシ体を固着部に固着させる状態を示す斜視図である。
【図４】本発明の実施の形態に係る固着部及び締止体を示す横断面図である。
【図５】本発明の実施の形態に係るブラシ体の紐状体の単繊維により洗浄する状態を示す模式図である。
【図６】本発明の実施の形態に係る洗浄ブラシを用いて便器の内面を清掃する状態を示す斜視図である。
【図７】本発明の実施の形態に係る洗浄ブラシを用いて、便器に載置された洗浄便座の吐水ノズルを清掃する状態を示す斜視図である。
【発明を実施するための形態】
【００２１】
以下、本発明をその実施の形態を示す図面に基づいて具体的に説明する。
図１は本発明の実施の形態に係る洗浄ブラシ１を示す斜視図、図２はブラシ体２を示す平面図、図３はブラシ体２を固着部１１に固着させる状態を示す斜視図、図４は固着部１１及び締止体３を示す横断面図である。
洗浄ブラシ１は、棒状をなす柄１０と、柄１０の先端に設けられ、四角筒状をなす固着部１１と、固着部１１により柄１０に固着され、断面が異形の繊維（単繊維）を含む紐状体２１を束ねてなるブラシ体２と、固着部１１の一側面に柄１０の軸心と交叉する方向に延びるように多数の毛体４１を植毛してなる細部用ブラシ部４とを備える。
【００２２】
柄１０及び固着部１１は例えばポリプロピレンからなる。
固着部１１は、前記一側面を外側に、柄１０の長さ方向に対し所定の角度で曲がっている。すなわち、固着部１１及び柄１０は全体として、への字状をなすように構成されている。
図３に示すように、固着部１１は、後述する締止体３の脚部３ｂ，３ｂを挿通する開口部１２と、前記一側面に対向する他側面に設けた開口部１３と、柄１０に繋がって屈曲している部分の外側に連設され、該部分より幅狭の植毛部１１ｂとを有する。さらに、図４に示すように、固着部１１は、開口部１３の下側で開口部１２側に段部１１ａを有する。
毛体４１は例えばポリプロピレンからなり、前記植毛部１１ｂに植毛されている。
【００２３】
柄１０は、中途部に設けられたフランジ１４と、フランジ１４から後端まで裾広がりに形成された握り部１５とを備える。フランジ１４は細部用ブラシ部４に向かうように傾斜させてある。握り部１５は裾広がりの形状を有するので握りやすい。そして、握り部１５には模様が形成されており、該握り部１５を握ったときの手の滑りが模様の凹凸により抑制されている。
【００２４】
ブラシ体２の紐状体２１は、例えばポリエステルを樹脂繊維押出しダイに形成した特殊形状のオリフィスから押し出した単繊維（例えばモノフィラメント）を多数本引き揃えて、これに撚りを掛けることによって得られる。単繊維は、真円形以外、先鋭な頂点を有する、例えば各辺が少し内側に凹んだ略正三角形状等の異形断面形状を有する（図５参照）。
図２に示すように、ブラシ体２は、紐状体２１を例えば長さ８０ｍｍに切り揃えて多数本並列配置し、前記長さの略中央部分を縫合し、一端側から簀巻き状に巻き込むことにより作製される。
【００２５】
締止体３は、Ｃ型状をなす環部３ａと、環部３ａの開口の両端部から延出する脚部３ｂ，３ｂと、脚部３ｂ，３ｂの先端部を略直角に折り曲げた突出部３ｃ，３ｃとを備える。
【００２６】
簀巻き状に巻き込んだブラシ体２を締止体３の環部３ａに挟持した後、脚部３ｂ，３ｂを対向面が接触するように掴んだ状態で開口部１２に挿通し、前記段部１１ａに突出部３ｃ，３ｃを係止させることにより、ブラシ体２は固着部１１に固着される。
【００２７】
ブラシ体２はタンブラー加工により、先端部を収縮させ、球状に形成される。細部用ブラシ部４の先端部はブラシ体２内に埋もれた状態となっている。
【００２８】
図５は、ブラシ体２の紐状体２１の単繊維２１ａにより洗浄する状態を示す模式図である。
洗浄ブラシ１は、ブラシ体２を構成する単繊維２１ａの断面形状が上述したように先鋭な頂点をもつ略正三角形状であるので、被清掃面７の汚れを単繊維２１ａの先鋭な頂点で擦り取ることができ、単繊維２１ａの各辺が内側に凹んでいるので汚れとの接触面積も大きく、洗浄効率が良好である。そして、一旦擦り取った汚れは単繊維２１ａ間に抱き込んだ水の中に漂わせて抱え込ませておくことができるので、洗浄剤を使用することなく水のみで汚れを落とすことも可能である。
【００２９】
図６は、洗浄ブラシ１を用いて便器６０の内面６１を清掃する状態を示す斜視図である。
便器６０は陶器製である。
便器６０の内面６１を清掃する場合、細部用ブラシ部４が上を向く状態で、すなわち固着部１１及び柄１０が、への字状をなす状態で洗浄用ブラシ１の握り部１５を握り、ブラシ体２を内面６１に当接して汚れを擦り取る。排水孔６２の周縁の内面６１は、上に凸の曲面状をなす。固着部１１及び柄１０が、内面６１の前記曲面に沿う、への字状をなし、ブラシ体２が異形断面形状を有し、球状をなすので、擦り残しがなく、陶器製の内面６１を傷つけることなく、無駄な力を掛けずに効率よく清掃することができる。
【００３０】
図７は、洗浄ブラシ１を用いて、便器６０に載置された洗浄便座５０の吐水ノズル５１を清掃する状態を示す斜視図である。
洗浄便座５０は例えばポリプロピレン製であり、略中央部の凹部５３のノズルダンパー５４が開き、ノズルヘッド５５、第１シリンダ部５６及び第２シリンダ部５７を有する３段式の吐水ノズル５１が進出し、噴射孔５８から人体の臀部を洗浄する洗浄水が噴射されるように構成されている。
【００３１】
吐水ノズル５１の清掃時には、洗浄水の供給を止めた状態で、ノズルダンパー５４から吐水ノズル５１を進出させる。そして、細部用ブラシ部４が下を向く状態で、すなわち固着部１１及び柄１０が逆への字状をなす状態で洗浄用ブラシ１の握り部１５を握り、固着部１１を吐水ノズル５１に平行に向け、毛体４１の先端部を吐水ノズルに当接して汚れを擦り取る。
【００３２】
吐水ノズル５１には水垢、汚物等のがんこな汚れが付着していることが多い。
毛体４１は紐状体２１より硬いポリプロピレン製であり、固着部１１及び柄１０が逆への字状をなし、フランジ１４により手が細部用ブラシ部４側にずれることがないので、本実施の形態の清掃ブラシ１によれば、力が掛かりやすく、擦り残しなく、効率良く清掃することができる。しかも、吐水ノズル５１の材質もポリプロピレン製であるので、毛体４１により吐水ノズル５１を傷つけることがない。
【００３３】
また、本実施の形態の洗浄ブラシ１は、便器６０の上縁部の内面６１との境界部分に対しても、逆への字状をなすように握り、毛体４１を前記境界部分に当接させて清掃することもできる。この場合、内面６１には柔らかいブラシ体２が当接するので、内面６１が傷つくのが抑制されている。
【００３４】
以上のように、本実施の形態の洗浄ブラシ１においては、便器６０の内面６１にはブラシ体２を当接させ、洗浄便座５０の吐水ノズル５１及び前記境界部分には細部用ブラシ部４の毛体４１を当接させることができ、被清掃部分の硬さ、範囲、汚れの質等に応じてブラシを使い分けて、洗浄効率良好に清掃することができる。従って、各被清掃部分に応じて、複数の洗浄ブラシを狭いトイレ空間等に配置しておく必要がない。
【００３５】
なお、洗浄ブラシ１の各部の材質、形状、及び単繊維２１ａの形状等は前記実施の形態において説明した場合には限定されない。
また、トイレ空間の便器６０及び洗浄便座５０を清掃する場合につき説明しているがこれに限定されるものではなく、浴室及び台所等の他の空間も清掃することができる。
本発明は、請求項に示した範囲で種々の変更が可能である。すなわち、請求項に示した範囲で適宜変更した技術的手段を組み合わせて得られる実施形態も本発明の技術的範囲に含まれる。
【符号の説明】
【００３６】
１  洗浄ブラシ
２  ブラシ体
２１  紐状体
３  締止体
３ａ  環部
３ｂ  脚部
３ｃ  突出部
４  細部用ブラシ部
４１  毛体
１０  柄
１１  固着部
１１ａ  段部
１１ｂ  植毛部
１２、１３  開口部
１４  フランジ
１５  握り部
【図１】
2013198583.tif 000003
【図２】
2013198583.tif 000004
【図３】
2013198583.tif 000005
【図４】
2013198583.tif 000006
【図５】
2013198583.tif 000007
【図６】
2013198583.tif 000008
【図７】
2013198583.tif 000009